(57)【要約】【課題】  回転機構を備えたディスプレイ装置において、ディスプレイ本体を回転可能に、かつ安定的に支持可能にしたディスプレイ装置を提供することを目的とする。【解決手段】  ディスプレイ本体２と、ディスプレイ本体の下部に配置されるスタンド３と、スタンドの底板部に回転可能に取付けられたスィーベル機構４と、一端が前記スィーベル機構に固定され、他端がディスプレイ本体の底部に取付けられる円筒状の支柱５と、ディスプレイ本体を支柱の軸周りに沿って回転可能とするため、前記支柱によってディスプレイ本体を支えるように、ディスプレイ本体の底面部と支柱の他端とを結合するＬ字状の取付金具６とを備えてなるディスプレイ装置である。【選択図】  図３
2006091712.tif 000002
【特許請求の範囲】
【請求項１】
ディスプレイ本体と、
前記ディスプレイ本体の下部に配置されるスタンドと、
前記スタンドの底板に固定された支持板と、この支持板上に周方向に所定の範囲で回転可能に取付けられた本体部とを有するスィーベル機構と、
外形が円筒状を成し、一端が前記スィーベル機構に固定され、他端が前記ディスプレイ本体の底部に取付けられた支柱とを具備して成ることを特徴とするディスプレイ装置。
【請求項２】
前記ディスプレイ本体の底面と、前記支柱の前記他端とを取付金具を介して一体的に取付けるようにしたことを特徴とする請求項１記載のディスプレイ装置。
【請求項３】
前記ディスプレイ本体は前面枠とバックカバーにて成る筐体を有し、前記バックカバーの底部背面に収納部を有し、前記取付金具をこの収納部内に配置して成ることを特徴とする請求項２記載のディスプレイ装置。
【請求項４】
フラットパネル型のディスプレイ本体と、
前記ディスプレイ本体の下部に配置されるスタンドと、
前記スタンドの底板に固定された支持板と、この支持板上に周方向に所定の範囲で回転可能に取付けられた本体部とを有するスィーベル機構と、
外形が円筒状を成し、一端が前記スィーベル機構に固定され、他端が前記ディスプレイ本体の底部に取付けられる支柱と、
前記ディスプレイ本体を前記支柱の軸周りに沿って回転可能とするため、前記支柱によって前記ディスプレイ本体を支えるように、前記ディスプレイ本体の底面部と前記支柱の前記他端とを結合するＬ字状の取付金具と、
前記スイーベル機構と前記支柱を覆うカバーとを具備したことを特徴とするディスプレイ装置。
【請求項５】
前記ディスプレイ本体は前面枠とバックカバーにて成る筐体を有し、前記バックカバーの底部背面に収納部を設け、この収納部に前記取付金具を配置し、前記取付金具の垂直面をディスプレイ本体内のシャーシに固定し、前記取付金具の水平面を前記支柱の前記他端に固定するようにしたことを特徴とする請求項４記載のディスプレイ装置。
【発明の詳細な説明】
【技術分野】
【０００１】
本発明は、液晶ディスプレイやプラズマディスプレイ等のフラットパネル型のディスプレイ装置に係り、特にディスプレイ本体を左右方向に角度を変えて見ることができるようにしたスィーベル機構を備えたディスプレイ装置に関する。
【背景技術】
【０００２】
従来、画像表示のために各種ディスプレイ装置が用いられているが、最近では薄型で比較的大画面のディスプレイ装置として、例えば液晶ディスプレイやプラズマディスプレイ等によるフラットパネル型のディスプレイ装置が普及している。
【０００３】
このようなディスプレイ装置は、薄型であることから壁掛けタイプや、ディスプレイ本体をスタンド上に支持するタイプが一般的である。また、スタンドを有するディスプレイ装置では、ディスプレイ本体を水平方向に所定の角度だけ回転できるようにした、所謂スィーベル機構を備え、視聴者が見やすい角度に調整できるようにしたものもある。
【０００４】
例えば特許文献１には、液晶ディスプレイ部と、このディスプレイ部を支持するスタンド部と、ディスプレイ部をスタンド部に対して左右方向及び上下方向に回転自在に連結するヒンジ部とを設けた例が記載されている。この特許文献１に記載のディスプレイ装置によれば、ディスプレイ部が上下方向及び左右方向に調節可能であり、ユーザの所望の通りにディスプレイ部の角度を調節して使用できるようになっている。
【０００５】
一方、上記のような回転機構を備えたディスプレイ装置では、ディスプレイ本体を円筒又は円柱状の支柱によって支持し、この支柱をスタンドに取付けることにより、ディスプレイ本体をスタンドから所定の高さ位置に支持するようにしたものもある。この場合、支柱の一端はスタンドの底板に固定され、他端はディスプレイ本体を支えることになるため、支柱とスタンドの底板との結合面積は支柱の円筒部の面積しか取れず、この小面積でディスプレイ本体の重みを受けることになるため、スタンドの底板が歪みやすいという不都合がある。
【特許文献１】特開平１０−１４３０８４号公報（第３頁〜第４頁、図２）
【発明の開示】
【発明が解決しようとする課題】
【０００６】
上記したような回転機構を備えたディスプレイ装置では、ディスプレイ本体をスタンドから所定の高さ位置に支持する場合、支柱の一端はスタンドの底板に固定され、支柱の他端でディスプレイ本体を支えることになるため、小面積でディスプレイ本体の重みを受けることになるため、スタンドの底板が歪みやすいという不都合がある。またこの場合、スィーベル機構をどこに配置すればディスプレイ本体が回転しやすく、かつデザイン上の制約を受けることがないかといった点も考慮す必要がある。
【０００７】
本発明は上記した点に鑑み、ディスプレイ本体を安定的に支持することができ、スムーズに回転できるようにしたディスプレイ装置を提供することを目的とする。
【課題を解決するための手段】
【０００８】
本発明はこのような問題点を解決するためになされたディスプレイ装置であって、ディスプレイ本体と；前記ディスプレイ本体の下部に配置されるスタンドと；前記スタンドの底板に固定された支持板と、この支持板上に周方向に所定の範囲で回転可能に取付けられた本体部とを有するスィーベル機構と；外形が円筒状を成し、一端が前記スィーベル機構に固定され、他端が前記ディスプレイ本体の底部に取付けられた支柱とを具備して成ることを特徴とする。
【０００９】
また、本発明のディスプレイ装置は、フラットパネル型のディスプレイ本体と；前記ディスプレイ本体の下部に配置されるスタンドと；前記スタンドの底板に固定された支持板と、この支持板上に周方向に所定の範囲で回転可能に取付けられた本体部とを有するスィーベル機構と；外形が円筒状を成し、一端が前記スィーベル機構に固定され、他端が前記ディスプレイ本体の底部に取付けられる支柱と；前記ディスプレイ本体を前記支柱の軸周りに沿って回転可能とするため、前記支柱によって前記ディスプレイ本体を支えるように、前記ディスプレイ本体の底面部と前記支柱の前記他端とを結合するＬ字状の取付金具と；前記スイーベル機構と前記支柱を覆うカバーとを具備したことを特徴とする
【発明の効果】
【００１０】
本発明のディスプレイ装置によれば、ディスプレイ本体の角度を周方向に任意に調節可能で、かつ構造的にも安定的にスタンド上に支持することができるディスプレイ装置を得ることができる。
【発明を実施するための最良の形態】
【００１１】
以下、図面を参照しながら本発明のディスプレイ装置について詳細に説明する。
【実施例１】
【００１２】
図１は本発明のディスプレイ装置を背面から見た場合の全体構造を示す斜視図であり、図２はスタンド部を拡大して示す斜視図である。また、図３、図４は、スタンド部の内部構造とを分かりやすく説明した斜視図である。まず、図１，図２を参照してディスプレイ装置の概略的な構成について説明する。
【００１３】
図１において、ディスプレイ装置１は、ディスプレイ本体２と、このディスプレイ本体２の下部に配置されディスプレイ本体２を支えるスタンド３から構成されている。ディスプレイ本体２は例えば液晶ディスプレイやプラズマディスプレイ等からなる薄型のフラットパネル２１を前面に備え、そのフラットパネル２１を筐体に収容している。尚、筐体は前面枠２２とバックカバー２３から成っている。また、前記バックカバーの底部背面に収納部２４を有している。、
又、前記スタンド３は、台座３１と、第１のカバー３２と第２のカバー３３、第３のカバー３４から成り、第１のカバー３２は、台座３１の上面を覆い、第２のカバー３３は後述するスイーベル機構を覆うように台座３１に取付けられ、第３のカバー３４は後述する支柱を覆うようにバックカバー２３に取付けられる。これら、台座３１と、第１のカバー３２、第２のカバー３３、第３のカバー３４とを有するスタンド部分を拡大して図２に示している。
【００１４】
次に本発明の主要部の具体構造を図３、図４を参照して説明する。図３は、前記台座３１と、第１のカバー３２、第２のカバー３３、第３のカバー３４とを取外した状態での全体的構造を示し、図４は、主にスィーベル機構４と、スィーベル機構４に固定された円筒状の支柱５と、ディスプレイ本体２を支持する取付金具６の構造を具体的に拡大して示したものである。
【００１５】
前記スィーベル機構４は、支柱５を支える本体部４１と、スタンド３の底板３５に取付けられた支持板４２とを備え、本体部４１は、支持板４２の上に矢印Ｘ（図４）で示すように所定の角度範囲内において左右方向（周方向）に回転可能に取付けられている。また、円筒状の支柱５は、スィーベル機構４の上面に固定されているため、前記スィーベル機構４の本体部４１の回転により、矢印Ｘ方向に所定の角度範囲内において回転可能になっている。
【００１６】
又、前記支柱５の頂部には取付金具６がネジによって固定されている。取付金具６は外観上、Ｌ字形を成し、図２に示すように前記バックカバー２３の収納部２４に配置され、ディスプレイ本体２のシャーシ２５（図５参照）に取付けられる垂直面６１と、支柱５の頂部に取付けられる水平面６２を有し、水平面６２が支柱５の頂部にネジ７１によって固定され、垂直面６１がネジ７２によりディスプレイ本体２のシャーシ２５に固定される。かくして、スィーベル機構４と支柱５と取付金具６は、支柱５の軸周りに所定の角度θの範囲内でＸ方向に回転可能となる。
【００１７】
図５は、本発明のディスプレイ装置の断面構造を概略的に示したものであり、スタンド３、スィーベル機構４、支柱５、取付金具６及び筐体（２２，２３）を取付けた状態を示す断面図であり、ディスプレイ本体２の上端部は図示を省略し、スタンド３及びスィーベル機構４、支柱５、取付金具６を主体に示している。
【００１８】
この断面図から分るように、ディスプレイ本体２は支柱５の上に取付金具６によって取付けられ、支柱５はスィーベル機構４の上に支持され、スィーベル機構４は、スタンド３の底板３５に支持板４２によって固定されるため、スタンド３との結合面積は広くなり、ディスプレイ本体２の重みは、底板３５の幅広い面積で支えることができる。したがって、
底板３５を鉄板等で構成することにより、剛制強化を図ることができ、ディスプレイ本体２の傾きを抑えることができる。
【００１９】
尚、図２においてカバー３４の上部にはコードバンド８１が取付けられており、ディスプレイ装置に各種の外部機器（例えばＶＴＲやＤＶＤ等）を接続する場合に、接続ケーブルをこのコードバンド８１によって保持することができる。又、スタンド３の台座３１の背面には引掛けバンド８２が取付けられており、引掛けバンド８２に固定ベルト等の部材を取付け、この部材を所定位置に固定することでディスプレイ装置の倒れ防止に利用することができる。
【００２０】
このように本発明のディスプレイ装置によれば、スィーベル機構４をスタンド３に配置することにより、ディスプレイ本体２の重みは、支柱５を介してスタンド３の底板３５により、幅広い面積で支えることができる。したがって、ディスプレイ本体を安定的に支持することができる。
【図面の簡単な説明】
【００２１】
【図１】本発明に係るディスプレイ装置の背面を示す斜視図。
【図２】本発明に係るディスプレイ装置の要部の構成を拡大して示す斜視図。
【図３】本発明に係るディスプレイ装置の背面を示すもので、カバー３２，３３，３４を取り外した状態を示す斜視図。
【図４】図３の要部の構成を拡大して示す斜視図。
【図５】本発明に係るディスプレイ装置の要部の構成を示す断面図。
【符号の説明】
【００２２】
１    ディスプレイ装置
２    ディスプレイ本体
２１  フラットパネル  
２２  前面枠
２３  バックカバー  
３    スタンド
３１  台座
３２，３３，３４  カバー
３５  底板
４    スィーベル機構
４１  本体部
４２  支持板
５  支柱
６  取付金具
【図１】
2006091712.tif 000003
【図２】
2006091712.tif 000004
【図３】
2006091712.tif 000005
【図４】
2006091712.tif 000006
【図５】
2006091712.tif 000007